(57)【特許請求の範囲】
【請求項１】
オリジナル画像の属する複数のフォルダを画面に一覧表示する情報管理装置であって、
ポインティングデバイスに連動して表示されるカーソルが前記画面の上で移動して、前記カーソルが前記フォルダを指定するとき、前記フォルダに属する所定個数の前記オリジナル画像のサムネイル画像をツールチップに表示させる表示手段と、
前記画面に前記ツールチップが表示されているときに、所定のキーの入力があったかどうかを検知する検知手段と、
前記検知手段により前記所定のキーの入力があったと検知されたとき、前記ツールチップに表示させる前記オリジナル画像のサムネイル画像の個数を変更する変更手段とを備え、
前記表示手段は、前記検知手段により前記所定のキーの入力があったと検知されたとき、前記ツールチップのサイズを変更して前記変更手段が変更した個数の前記オリジナル画像のサムネイル画像を前記ツールチップに表示させることを特徴とする情報管理装置。
【請求項２】
前記画面には、オリジナル画像のアイコンとフォルダのアイコンが一覧表示され、前記カーソルが前記オリジナル画像のアイコンの上に位置するとき、前記表示手段は、前記オリジナル画像の付属情報をツールチップに表示させ、
前記付属情報はファイル名、ファイルサイズ、画像サイズおよび更新日時のうち少なくとも１つであることを特徴とする請求項１記載の情報管理装置。
【請求項３】
前記所定のキーの入力が拡大処理を指示するとき、前記変更手段は前記個数を増やし、前記表示手段は前記ツールチップのサイズを拡大して表示し、一方、前記所定のキーの入力が縮小処理を指示するとき、前記変更手段は前記個数を減らし、前記表示手段は前記ツールチップのサイズを縮小して表示することを特徴とする請求項１または２に記載の情報管理装置。
【請求項４】
オリジナル画像の属する複数のフォルダを画面に一覧表示する情報管理装置の制御方法であって、
ポインティングデバイスに連動して表示されるカーソルが前記画面の上で移動して、前記カーソルが前記フォルダを指定するとき、前記フォルダに属する所定個数の前記オリジナル画像のサムネイル画像をツールチップに表示させる表示工程と、
前記画面に前記ツールチップが表示されているときに、所定のキーの入力があったかどうかを検知する検知工程と、
前記検知工程により前記所定のキーの入力があったと検知されたとき、前記ツールチップに表示させる前記オリジナル画像のサムネイル画像の個数を変更する変更工程とを備え、
前記表示工程は、前記検知工程により前記所定のキーの入力があったと検知されたとき、前記ツールチップのサイズを変更して前記変更工程が変更した個数の前記オリジナル画像のサムネイル画像を前記ツールチップに表示させることを特徴とする情報管理装置の制御方法。
【請求項５】
コンピュータが読み込み実行することで、前記コンピュータを、オリジナル画像の属する複数のフォルダを画面に一覧表示する情報管理装置として機能させるコンピュータプログラムであって、
前記コンピュータを、
ポインティングデバイスに連動して表示されるカーソルが前記画面の上で移動して、前記カーソルが前記フォルダを指定するとき、前記フォルダに属する所定個数の前記オリジナル画像のサムネイル画像をツールチップに表示させる表示手段と、
前記画面に前記ツールチップが表示されているときに、所定のキーの入力があったかどうかを検知する検知手段と、
前記検知手段により前記所定のキーの入力があったと検知されたとき、前記ツールチップに表示させる前記オリジナル画像のサムネイル画像の個数を変更する変更手段として機能させ、
前記表示手段は、前記検知手段により前記所定のキーの入力があったと検知されたとき、前記ツールチップのサイズを変更して前記変更手段が変更した個数の前記オリジナル画像のサムネイル画像を前記ツールチップに表示させる
ことを特徴とするコンピュータプログラム。
【発明の詳細な説明】
【技術分野】
【０００１】
本発明は、記憶装置に確保或いは保存されているフォルダやファイル等の情報管理技術に関するものである。
【背景技術】
【０００２】
近年、デジタルカメラの普及やインターネットのブロードバンド化に伴い、ユーザーはデジタルカメラで撮像した画像、Ｅ−Ｍａｉｌに添付された画像、ホームページからの静止画や動画のダウンロードなど、手軽に大量のファイルを入手できるようになってきた。
【０００３】
また、近年のデジタルカメラの高性能化、パーソナルコンピュータ（以下、ＰＣという）の高性能化に伴い、一つのファイルに対して様々な情報を持つ事ができるようになった。その為、ユーザーは様々な種類のファイルを大量に管理する必要に迫られている。それらの様々なファイルを効率的に管理するには、それぞれのファイルやフォルダの情報を容易に確認する必要がある。
【０００４】
図３は、ＰＣ上で稼動する一般的なファイル管理ソフト上でのファイルの情報表示例を示している。ウィンドウ３０３は、対象となるフォルダツリーを表示するツリービュー３０５、ツリービューで開いているフォルダ内に格納されている画像ファイルの一覧を表示するブラウザエリア３０６、ブラウザエリア３０６内の選択された画像ファイルの詳細情報を表示する詳細情報エリア３０２で構成される。操作者は、所望とするファイルに関する情報を確認したい場合には、そのファイルを選択した状態で、メニュー又はコンテキストメニューからプロパティウィンドウ３０１1を開く事でそれらの情報を確認するか、詳細情報エリア３０２でその情報を確認する（非特許文献１）。
【非特許文献１】技術評論社出版「キヤノンユーザー必携！まるごとわかるZoomBrowser EX 5.0」一条真人著（P35.プロパティ欄参照）
【発明の開示】
【発明が解決しようとする課題】
【０００５】
上記のように、一般的なファイル管理ソフトでは、プロパティウィンドウ３０１を開く事や、情報を表示する機能を有する表示モードの詳細情報エリア３０２を用いる事で、それらの情報を確認する事ができるが、これらの表示方法には以下のような問題がある。
【０００６】
まず、前者のプロパティウィンドウを開いてそのファイルに対する情報を確認する方法であるが、これは一つ一つファイルに対して、メニュー又はコンテキストメニューからプロパティウィンドウを開く操作が必要になる。また表示領域が限られているため、多数の情報を持つファイルの場合、すべての情報を確認するためには、プロパティウインドウにスクロールバーを付して、そのスクロールバーを操作して確認する必要がある。一つのファイルの情報を確認するだけであるならば、それほど操作者に対して負担にならないが、複数の画像の情報を確認しようと考えた場合、その操作負荷は急激に上昇する。また、プロパティウィンドウが必要なくなった場合、操作者はメニューから「閉じる」操作を行うか、プロパティウィンドウに表示されている「閉じる」操作を行う事でプロパティウィンドウを閉じることが出来るが、これらの操作も複数の画像に対して行うと操作者に対して煩雑な操作となってしまう。
【０００７】
次に後者のファイルに対する情報確認方法であるが、ブラウザエリア３０６中の選択画像を切り替える操作だけで、その都度選択されるファイルの詳細情報が詳細情報エリア３０２に表示できる。しかしながら、ファイル詳細情報が必要ない場合や、それらの表示を全く必要としない操作者に対しては、無駄なスペースとなってしまい、表示スペースの有効活用が行えない。
【０００８】
また、現在のツールチップという簡易ファイル情報表示機能が一般的となっているが、表示サイズが固定されており、表示情報を十分に表示できないケースも存在している。
【０００９】
本発明は、上記問題を解決するためになされ、表示画面を有効利用しつつ、ファイルやフォルダ一覧を表示した状態で、ファイルの種類やフォルダの内容を確認できる技術を提供しようとするものである。
【課題を解決するための手段】
【００１０】
かかる課題を解決するため、本発明の情報管理装置は以下の構成を備える。すなわち、
オリジナル画像の属する複数のフォルダを画面に一覧表示する情報管理装置であって、
ポインティングデバイスに連動して表示されるカーソルが前記画面の上で移動して、前記カーソルが前記フォルダを指定するとき、前記フォルダに属する所定個数の前記オリジナル画像のサムネイル画像をツールチップに表示させる表示手段と、
前記画面に前記ツールチップが表示されているときに、所定のキーの入力があったかどうかを検知する検知手段と、
前記検知手段により前記所定のキーの入力があったと検知されたとき、前記ツールチップに表示させる前記オリジナル画像のサムネイル画像の個数を変更する変更手段とを備え、
前記表示手段は、前記検知手段により前記所定のキーの入力があったと検知されたとき、前記ツールチップのサイズを変更して前記変更手段が変更した個数の前記オリジナル画像のサムネイル画像を前記ツールチップに表示させることを特徴とする。
【発明の効果】
【００１１】
本発明によれば、ファイルやフォルダの一覧をアイコン表示した際に、簡単な操作のみでファイルの情報やフォルダの中身を確認できるようになる。
【発明を実施するための最良の形態】
【００１２】
以下、添付図面に従って本発明に係る実施形態を詳細に説明する。
【００１３】
［システム構成］
先ず、実施形態の説明に先立ち、装置構成を説明する。
【００１４】
図１は情報管理装置を実現しうるプラットフォームであるコンピュータシステムの構成例を示している。図１において、７０１はパーソナルコンピュータ（ＰＣ）本体、７０２はデータを表示するディスプレイ、７０３はマウス等のポインティングデバイス、７０４はキーボードである。
【００１５】
図２は、本発明に係わる実施形態のソフトウェアとハードウェアは含む情報管理装置の機能構成図である。この構成は、本装置に電源が投入され、ＯＳが起動した後、情報管理アプリケーションを起動させた場合を示している。
【００１６】
図２において、８０１はハードウェアであり、８０２はハードウェア８０１上で動作するオペレーティングシステム（ＯＳ）であり、８０３はＯＳ８０２の上で動作するアプリケーションソフトウェア（情報管理装置として機能するプログラム）である。なお、ハードウェア８０１とＯＳ８０２を構成するブロックのうち構成要件として当然含まれるが本発明の実施の形態を説明する上で直接必要としていない機能ブロックについては図示を省略している。不図示のブロック例として、ハードウェアではＣＰＵ、メモリ、ＯＳとしてメモリ管理システム等が挙げられる。
【００１７】
図２において、８０７はファイルやデータを物理的に格納するハードディスク、８１４はＯＳを構成するファイルシステムであり、アプリケーションソフトウェアがハードウェアを意識せずにファイルの入出力が行えるようにする機能がある。８１１はファイルシステム８１４がハードディスク８０７の読み書きを行うためのディスクＩＯインターフェースである。８１３は、ＯＳを構成する描画管理システムであり、アプリケーションソフトウェアがハードウェアを意識せずに描画が行えるようにする機能を提供する。８１０は描画システム８１３がディスプレイ７０２に描画を行う為のビデオインターフェースである。８１２はＯＳを構成する入力デバイス管理システムであり、アプリケーションソフトウェアがハードウェアを意識せずにユーザーの入力を受け取る事ができるようにする機能を提供する。８０８は入力デバイス管理システム８１２がキーボード７０４の入力を受け取るためのキーボードインターフェース、８０９は入力デバイス管理システム８１２がポインティングデバイス７０３から入力を受け取る事ができるようにするためのＰＤインターフェースである。
【００１８】
＜第１の実施形態＞
実施形態における情報管理装置として機能させるアプリケーション８０３を説明する。
【００１９】
なお、以下の説明において、「ツールチップ」とは、ポインティングデバイスに連動して表示するマウスカーソル（以下、単にカーソル）が、対象物（ファイル、フォルダ）上に移動した際に、そのカーソル近傍に、該当する対象物に対するメッセージを自動表示する機能を言う。このツールチップ表示処理は、対象物上にカーソルが移動した際に、ＯＳがカーソルオーバーイベント（マウスオーバーイベント）を発生することを利用して実行する。すなわち、アプリケーションはこのカーソルオーバーイベントの発生した際に、その処理を行う。
【００２０】
図１１は本実施形態の情報ツールチップの表示処理の基本部分を示すフローチャートである。また、図４は実施形態におけるアプリケーション８０３でファイルビューワを起動した場合に表示されるウインドウを示している。また、図示で、４０３ａ、４０４ａ、４０５ａはカーソルを示し、４０３、４０４、４０５はカーソルが移動した際に表示されるツールチップを示している。なお、図示では、３箇所にカーソルとそれぞれのツールチップの表示例を示しているが、実際にはその１つが表示されるものである。同図は、便宜的に、３つの事象をまとめて表示している点に注意されたい。
【００２１】
先ず、マウスオーバーイベントが発生したら、ステップＳ１００１において、カーソルが指し示しているアイコンが何かを判断する。それがファイルを示すアイコンであると判断した場合、処理はステップＳ１００２に進み、そのファイルが画像ファイルか否かを判定を行う。画像ファイルであると判断した場合、ステップＳ１００３に進んで、そのファイルがサムネイルを持っているかどうかを判定する。サムネイルを持っていない場合にはステップＳ１００８に進み、そのファイルをオープンし、オリジナル画像データからサムネイルを作成し、次回表示に使用するため、別ファイルに保存するか、オリジナルファイルに埋め込む処理を行う。その後、ステップＳ１００４において、該当するファイル情報を取得し、ステップＳ１００５で取得した情報とサムネイルで構成されるツールチップを表示する。このステップＳ１００５で表示されるツールチップは、図４のツールチップ４０３に相当する。なお、着目ファイルが動画像ファイルである場合には、先頭フレームからサムネイルを作成して表示するものとする。
【００２２】
また、ステップＳ１００２にて、カーソルが位置するファイルが画像ファイルではないと判断した場合には、ステップＳ１００７に進んで、テキスト表示のみの情報（該当するファイルのファイル名）ツールチップを表示する（なお、ファイル名以外に、タイムスタンプ、ファイルサイズを含めても良い）。このステップＳ１００７で表示されるツールチップは、図４のツールチップ４０５に相当する。
【００２３】
一方、ステップＳ１００１にて、マウスオーバイベントが発生した際のカーソル位置がフォルダ（ディレクトリ）上にあると判断した場合、処理はステップＳ１００９に進み、該当するフォルダ内のファイルを検索し、４つの代表画像ファイル（最初に見つかった４つの画像ファイル）のサムネイルを抽出、或いは作成する。なお、画像ファイルが４つ未満の場合には、その数のサムネイルの抽出、或いは作成する。そして、ステップＳ１００５に進んで、サムネイル付きの情報ツールチップを表示する。図４におけるツールチップ４０４がこれに相当する。
【００２４】
なお、カーソルがファイル一覧表示領域中にあって、尚且つ、ファイル上にない場合（例えば図４の符号４０２の位置）には、ツールチップの表示は行わない。ただし、一覧表示しているフォルダに関する情報（ファイル数、フォルダに含まれる全データサイズ等）を表示しても構わない。
【００２５】
以上の処理において、通常のツールチップは、特定の情報を特定のサイズで操作者に情報提供を行っていたのに対し、本実施形態では表示中のツールチップのサイズを、操作者による特定の操作によって変更するようにした。
【００２６】
この特定の操作としては、マウス等に搭載されたホイール機能と特定キー操作の組み合わせで行う（ただし、特定操作は前述の組み合わせだけでなく、マウスのホイール機能のみでも良いし、キーボード操作やその他デバイスを用いた操作でももちろん良い）。
【００２７】
情報ツールチップ表示時に、キーボード上の「Ctrl」キーを押しながらマウスホイールを回転させる（以降“Ctrl+ホイール回転”と言う）ことで、ツールチップのサイズを変更できる。ホイールを奥方向に回転させると拡大、逆に手前方向に回転させると縮小するようにした。
【００２８】
ここで、実施形態における情報ツールチップの情報表示方法は以下３種類ある。この情報ツールチップのサイズの変更により、次のような要望に対処できることになる。
１．テキスト情報量の増加
２．フォントサイズ、サムネイル画像サイズ及び代表画像のサイズの変更
３．代表画像枚数の変更
【００２９】
上記３通りのそれぞれについて以下に説明する。なお、“Ctrl+ホイール回転”の操作を、上記１乃至３のいずれに割り当てるかは、アプリケーション８０３の環境設定のＧＵＩ（後述する図８）にて選択するものとする。
【００３０】
先ず、「テキスト情報量の増加」を行う例を説明する。
【００３１】
図５はツールチップのサイズを変更してテキスト情報量を増す設定を行った時の図である。図示では３通りの例を示しているが、実際にはある瞬間はその何れかになるのは、図４での説明と同様である。
【００３２】
操作者は、現在表示しているファイルの情報量だけでは満足できないかもしれない（図４の場合、ファイル名／フォルダ名のみ）。その場合、情報ツールチップを拡大して情報量を表示する領域を増やしてあげる事で、この問題を解決する。
【００３３】
図５の情報ツールチップ５０１は、図４における情報ツールチップ４０３が表示されてる状態で、“Ctrl+ホイール回転”操作を行った場合を示している。図示のように、情報ツールチップ５０１は、表示するテキスト情報量が増加（ファイルサイズ、更新日時）を増やしている。
【００３４】
また、図５における情報ツールチップ５０３は図４における情報ツールチップ４０５に対応し、情報ツールチップ５０２は図４の情報ツールチップ４０４に対応する。それぞれ、情報ツールチップのサイズを大きくすることで、テキスト情報量を増やすことが可能になる。なお、情報ツールチップの最大サイズは、該当するファイルやフォルダに関する情報を全て表示するか、表示装置の表示領域に収まらなくなった場合とする。また、最小サイズは、テキスト情報を全く表示しない時のサイズとなる。よって一般的なファイルでテキスト情報しかない場合は、ツールチップは非表示となる。画像ファイルやフォルダの場合は、テキスト情報領域が無くなり、サムネイル又は代表画像のみ表示される事になる。
【００３５】
次に、「フォントサイズ、サムネイル画像サイズ及び代表画像のサイズの変更」について説明する。
【００３６】
図６は、情報ツールチップの情報をそのまま拡大する設定を行った例を示している。図示における情報ツールチップ６０１、６０２、６０３が、図４における情報ツールチップ４０３、４０５、４０４に対応する。
【００３７】
図示に示すように、図６は図４と表示する内容は同じであるものの、表示サイズが大きくなる分だけ、画像、テキストが全体的に大きなものとなっている。昨今のＰＣにおける表示装置の表示画面サイズに比べて解像度が高いものが存在するので、このような拡大表示を行うことで、視認性が高くできる。
【００３８】
この場合の処理を図１２のフローチャートに従って説明する。
【００３９】
先ず、拡大処理イベント（“Ctrl+ホイール回転”のイベント）が発生したら、ステップＳ１１０１にて、現在の画像又はシステムが保持しているサムネイルサイズを取得し、そのサイズをＴ１とする。次にステップＳ１１０２にて、拡大後のツールチップのサイズを基に表示予定のサムネイルサイズを計算する。このサイズをＴ２とする。次いで、ステップＳ１１０３にて、Ｔ１とＴ２のサイズの比較を行う。もしＴ１≧Ｔ２であれば、現在保持しているサムネイルをそのまま用い、ステップＳ１１０４にてツールチップに表示する。また、Ｔ１＜Ｔ２であれば、ステップＳ１１０５でオリジナル画像からツールチップ用のサムネイルを再生成し、それを用いステップＳ１１０４にてツールチップに表示する。
【００４０】
情報ツールチップの最大サイズは、表示装置の表示領域に収まりきらなくなった場合か、画像に対するサムネイルを拡大する場合、オリジナル画像より大きくなった場合とする。逆に最小サイズは特定のサイズ以下になった時、拡大するアイテムに指定した部分を非表示にする。よって画像ファイルにおいて、サムネイルサイズを拡大する項目にしていた場合、最小まで小さくした時はテキスト情報しか表示されず、逆の場合はサムネイルだけが残ることになる。また両方指定していた場合は、非表示に変わる。
【００４１】
次に、「代表画像枚数の変更」について説明する。
【００４２】
この処理は、カーソルがフォルダ上に位置する際に、“Ctrl+ホイール回転”操作を行った場合である。
【００４３】
図７の情報ツールチップ７０１は、図４における情報ツールチップ４０４に対応するものであり、該当フォルダ内のサムネイル画像の個数が３×３の９個にした例を示している。図示のように、表示するサムネイルの個数を増やすことで、対象フォルダをオープンしなくても、その中に格納されている画像ファイル中に目的とする画像ファイルが存在するか否かの予測率を上げることが可能になる。
【００４４】
この処理を図１３のフローチャートに従って説明する。この処理は、マウスオーバーイベントが発生し、それがカーソルがフォルダ上に存在し、図４の情報ツールチップ４０４を表示している際に、拡大縮小イベント（“Ctrl+ホイール回転”のイベント）が発生した場合の処理である。
【００４５】
拡大縮小イベントが発生すると、ステップＳ１２０１において、現在表示している代表画像の行数ａ、列数ｂを取得する（初期値は図４の状態なのでａ＝ｂ＝２である）。
【００４６】
次いで、ステップＳ１０２２にて、イベントが拡大処理か、縮小処理かを判断する。拡大処理と判断された場合には、ステップＳ１２０３にて代表画像の数を増やす処理を行う。もし縮小処理であった場合は、ステップＳ１２０４で代表画像を減らす処理を行う。そして、いずれかの処理を行うと、ステップＳ１２０５にて、決定した行数ａ、列数ｂに従って代表画像を検索し、表示することになる。
【００４７】
この例では、増減する際に縦方向、横方向、縦方向・・・と１行／列づつ増やす／減らす処理を表している。その結果得られた行数・列数で再度代表画像を表示する。図７の情報ツールチップ７０１では、拡大例として代表画像Ｎを４枚（２×２）から９枚（３×３）に表示を増やした例を表した。本ケースの場合、逆に縮小した時、代表画像が消えるまで縮小を行う。よって最も小さくなったケースはフォルダ名のみとなる。もしフォルダ名を表示していなかった場合は、ツールチップは非表示となる。
【００４８】
以上であるが、上記“Ctrl+ホイール回転”に対する処理内容は、本実施形態に終えるアプリケーション８０３における環境設定ＧＵＩにて行う。図８は、その環境設定ウインドウを示している。
【００４９】
図示の８０１、８０２、８０３では互いに排他的な関係にある項目のいずれかを選択するために、ラジオボタン形式にして設定する例である。図８の例では、テキストの設定８０１では「フォントサイズを拡大する」、画像サムネイルの設定８０２では「サムネイルを拡大する」、代表画像の設定８０３では「代表画像を拡大する」が選択されている例が示されている。
【００５０】
一旦設定が完了すると、設定内容がシステム（ＯＳが米国マイクロソフト社のＷｉｎｄｏｗｓ（登録商標）の場合にはレジストリファイル）に登録され、変更がない限り、この設定が維持されて“Ctrl+ホイール回転”が機能することになる。
【００５１】
以上説明したように本実施形態によれば、マウスオーバイベント発生時に、カーソルが画像ファイル上に存在する場合には、その画像ファイルからサムネイル付きのツールチップを表示し、非画像ファイルである場合にはこれまで通りのファイル情報を表示する。そして、フォルダ上にカーソルが位置する場合には、そのフォルダ内の所定数までの代表画像ファイルのサムネイル付きツールチップを表示することが可能になり、表示装置の限られた表示領域を有効利用することが可能になる。また、ツールチップの表示中に、“Ctrl+ホイール回転”による拡大・縮小イベントが発生した場合には、ツールチップの表示サイズを変更することで、テキスト情報量の増加、フォントサイズ、サムネイル画像サイズ及び代表画像のサイズの変更、或いは、代表画像枚数の変更を行うことも可能になり、利便性を高めることが可能になる。
【００５２】
＜第２の実施形態＞
第２の実施形態を説明する。本第２の実施形態では、情報ツールチップ表示中に、キーボードのCtrlキーを押しながらEnterキーを操作（以降”Ctrl+Enter”と表記する）すると、情報ツールチップの表示形式を変更する。表示形式の変更を行う際は、表示が切り替わる事を明確にするために、紙の表裏を捲るようなアニメーション効果を表示しても良い。
【００５３】
図９の情報ツールチップ９０１は、図４の情報ツールチップ４０３が表示されている状態で”Ctrl+Enter”操作を行った場合の例を示している。画像サムネイルが表示してあったものが、テキスト表示に変化する。ここでテキスト表示されているのは、画像の付属情報である。この付属情報は、その画像が保持しているものであっても良いし、画像管理ソフトが保持している情報を表示しても良い。この表示方法のメリットは、ツールチップにはサムネイル表示は不要でテキスト表示のみを行いたいという操作者にとって有効な機能となる。“Ctrl+Enter”操作を行う事で、次々とテキスト表示形式が変わる。具体的に述べると、
１．画像サムネイル＋簡易情報をテキストで表示
２．画像が持っている詳細情報をテキストのみで表示
３．その画像に対する画像管理ソフトが持っている情報をテキストのみで表示
と“Ctrl+Enter”操作を行うたびに１→２→３→１…（或いはその逆でも構わない）といったように表示形式を変更する。
【００５４】
このように操作者自身に適した表示方式に出来ることで、より簡便に対象ファイルやフォルダに関する情報を表示することができる。
【００５５】
上記は画像ファイルの場合であるが、フォルダにフォーカスが当たっている場合は、代表画像を切り替える。代表画像枚数Ｎ＝４の場合は、４枚ごとにフォーカスが当たっているフォルダ内の画像を取得して表示する。この処理により、万が一代表画像に所望の画像が無かったとしても、代表画像を切り替える事で所望の画像を探す事が出来るようになる。なお、本第２の実施形態、先に説明した図８の設定内容と併用することもできる。
【００５６】
＜第３の実施形態＞
図１０のようにファイル一覧表示領域の拡大率設定のスライダバー１００１を設け、サムネイルサイズの表示倍率を最小にした時のケースを考える。
【００５７】
サムネイルサイズを小さくする事で、ブラウザウィンドウ上に大量のサムネイルを一度に表示する事が出来るメリットが生じるが、サムネイルを確認し難くなったり、サムネイルに対して正確にマウスポインタを当て難くなったりする問題が同時に存在する。その問題の解決方法として、ツールチップ表示時にCtrlキーを押しながら、キーボードに備えられた矢印（上下左右のいずれか）キーを操作する（以降”Ctrl+矢印”と表記）と、その矢印が向いた方向のサムネイルに関しての情報を表示するようにする。またこの時、表示を切り替えたタイミングで、カーソルも同時にそのサムネイルに当たるように切り替える。
【００５８】
例えば図１０におけるカーソル１００３のファイルにフォーカスを充てているとき”Ctrlキー＋矢印の上キー”を押した時、カーソル１００３は位置１００４に表示（移動）され移動、ツールチップも位置１００４の位置にあるファイル情報を表示するという内容となる。
【００５９】
この処理により操作者は、マウスポインタを細かく動かす事無く、次々とサムネイルや詳細情報についての確認を行う事が出来る。もし画像が複数選択されている状態で、上記操作を行った場合は、その複数選択されている範囲内で画像を切り替える事とする。
【００６０】
なお、本第３の実施形態でも、第１、第２の実施形態と併用することができる。
【００６１】
上記各実施形態では、アプリケーションソフトウェア８０３におけるファイル一覧表示する部分について説明したが、アプリケーションソフトウェア８０３は画像編集等を行うもの、デジタルカメラで撮像した画像を管理し、必要に応じて編集や印刷を行うものでもの等、その種類を問わない。要は、一覧表示する機能を有するものであれば、どのようなものにも適用できる。
【００６２】
また、実施形態では、キーボードのｃｔｒｌキー、ｅｎｔｅｒキー、矢印キー等を利用する例を説明したが、利用するキーはこれに限らず、如何なる組み合わせでも構わない。
【００６３】
以上、本発明に係る実施形態を説明したが、本実施形態における処理はアプリケーションソフトウェア８０３によるものであるので、当然本発明はコンピュータプログラムをその範疇に含む。また、通常、コンピュータプログラムは、ＣＤ−ＲＯＭ等のコンピュータ可読記憶媒体に格納されていて、それをコンピュータにセットし、システムにコピーもしくはインストールすることで実行可能になるものであるから、当然、そのようなコンピュータ可読記憶媒体も本発明の範疇に含まれる。
【図面の簡単な説明】
【００６４】
【図１】実施形態におけるコンピュータシステムの構成例を示す図である。
【図２】実施形態におけるソフトウェアとハードウェアを含む情報管理装置の全体構成例
【図３】従来のファイル管理システムの一覧表示の例を示す図である。
【図４】第１の実施形態におけるファイル一覧表示とツールチップの表示例を示す図である。
【図５】ツールチップの拡大に伴いテキスト情報を増やした場合の表示例を示す図である。
【図６】ツールチップの拡大に伴いサムネイルやテキストをそのまま拡大した場合の表示例を示す図である。
【図７】ツールチップの拡大に伴いフォルダの代表画像数を増加させた場合の表示例を示す図である。
【図８】拡大縮小時の動作設定ＵＩを示す図である。
【図９】第２の実施形態におけるツールチップの切り替え表示を示す図である。
【図１０】第３の実施形態における表示と動作を説明するための図である。
【図１１】第１の実施形態におけるツールチップ表示処理内容を示すフローチャートである。
【図１２】図６の表示を行うための拡大処理手順を示すフローチャートである。
【図１３】図７の表示を行うための拡大処理手順を示すフローチャートである。
【図１】
0004590320.tif 000002
【図２】
0004590320.tif 000003
【図３】
0004590320.tif 000004
【図４】
0004590320.tif 000005
【図５】
0004590320.tif 000006
【図６】
0004590320.tif 000007
【図７】
0004590320.tif 000008
【図８】
0004590320.tif 000009
【図９】
0004590320.tif 000010
【図１０】
0004590320.tif 000011
【図１１】
0004590320.tif 000012
【図１２】
0004590320.tif 000013
【図１３】
0004590320.tif 000014